(57)【要約】【課題】  電話番号をキーとしてユーザが既に保有しているコンテンツを簡易に選択して取得することができるコンテンツ提供システム、その方法、サーバおよびプログラムを提供する。【解決手段】  加入者管理部４は、加入者の電話番号と加入者が購入済みであるコンテンツを対応付けて加入者情報データベース７に登録し、ユーザインタフェース部２から受付けた電話番号データに基づいて加入者情報データベース７を検索し、電話番号データと対応付けられて登録されているコンテンツを取得し、ユーザインタフェース部２がそのコンテンツを表示する。【選択図】  図１
2005354180.tif 000002
【特許請求の範囲】
【請求項１】
コンテンツプロバイダが使用する情報処理装置からネットワークを介して電話をかけてきた相手にその電話に応答するまでの間に伝達されるコンテンツおよび前記コンテンツを分類するために用いられるコンテンツ管理データを取得する第一のインタフェース装置と、
ユーザが使用する情報処理装置からネットワークを介して加入者の電話番号および前記加入者が購入済みである前記コンテンツの情報を含む加入者データおよび電話番号データを取得する第二のインタフェース装置と、
前記コンテンツ、前記コンテンツ管理データおよび前記加入者データが登録されるデータベースと、
前記第一のインタフェース装置から前記コンテンツを受付けて前記データベースに登録するコンテンツ登録手段と、
前記第一のインタフェース装置から前記コンテンツ管理データを受付けて前記データベースに登録するコンテンツ管理データ登録手段と、
前記第二のインタフェース装置から前記加入者データを受付けて前記加入者の電話番号と前記加入者が購入済みである前記コンテンツを対応付けて前記データベースに登録する加入者データ登録手段と、
前記電話番号データを取得するインタフェース装置から前記電話番号データを受付ける受付手段と、
前記受付手段によって受付けられた前記電話番号データに基づいて前記データベースにその電話番号データが存在するか否かを検索する検索手段と、
前記検索手段によって検索された前記電話番号データと対応付けられて前記データベースに登録されている前記コンテンツを表示する表示手段と、
前記表示手段によって表示される前記コンテンツのうちから購入が希望されたものを特定するデータを受付ける購入希望コンテンツデータ受付手段と、
前記購入希望コンテンツデータ受付手段によって受付けられた前記データに基づいて特定される前記コンテンツを前記データベースに前記購入済みであるコンテンツとして登録して前記データベースを更新する更新手段を具備する管理装置と、
を備えることを特徴とするコンテンツ提供システム。
【請求項２】
前記第二のインタフェース装置は、前記加入者が購入済みである前記コンテンツを他人に閲覧させるか否かを設定するデータをさらに取得し、
前記加入者データ登録手段は、前記第二のインタフェース装置から前記加入者が購入済みである前記コンテンツを他人に閲覧させるか否かを設定するデータを受付けて前記データベースに登録し、
前記管理装置は、前記検索手段によって検索された前記電話番号データと対応付けられて前記データベースに登録されている前記コンテンツを他人に閲覧させるか否かいずれに設定されているかを判定する閲覧可否判定手段を備えることを特徴とする請求項１記載のコンテンツ提供システム。
【請求項３】
前記加入者宛ての呼が発生した場合に、
電話をかけてきた相手の電話番号に基づいて前記データベースから再生条件を検索する検索手段と、
前記検索手段によって検索される前記再生条件を満たすコンテンツを前記データベースから読み込む読込手段と、
前記読込手段によって読み込まれた前記コンテンツを音声チャネルに対して再生する再生手段と、
を有する再生装置を備えることを特徴とする請求項１または２記載のコンテンツ提供システム。
【請求項４】
コンテンツプロバイダが使用する情報処理装置からネットワークを介して電話をかけてきた相手にその電話に応答するまでの間に伝達されるコンテンツおよび前記コンテンツを分類するために用いられるコンテンツ管理データを取得するインタフェース装置と、
ユーザが使用する情報処理装置からネットワークを介して加入者の電話番号および前記加入者が購入済みである前記コンテンツの情報を含む加入者データおよび電話番号データを取得するインタフェース装置と、
前記コンテンツが登録されるソースデータベースと、
前記コンテンツ管理データが登録されるコンテンツ管理データベースと、
前記加入者データが登録される加入者情報データベースと、
前記コンテンツを取得するインタフェース装置から前記コンテンツを受付けて前記ソースデータベースに登録するコンテンツ登録手段と、
前記コンテンツ管理データを取得するインタフェース装置から前記コンテンツ管理データを受付けて前記コンテンツ管理データベースに登録するコンテンツ管理データ登録手段と、
前記加入者データを取得するインタフェース装置から前記加入者データを受付けて前記加入者の電話番号と前記加入者が購入済みである前記コンテンツを対応付けて前記加入者情報データベースに登録する加入者データ登録手段と、
前記電話番号データを取得するインタフェース装置から前記電話番号データを受付ける受付手段と、
前記受付手段によって受付けられた前記電話番号データに基づいて前記加入者情報データベースにその電話番号データが存在するか否かを検索する検索手段と、
前記検索手段によって検索された前記電話番号データと対応付けられて前記加入者情報データベースに登録されている前記コンテンツを表示する表示手段と、
前記表示手段によって表示される前記コンテンツのうちから購入が希望されたものを特定するデータを受付ける購入希望コンテンツデータ受付手段と、
前記購入希望コンテンツデータ受付手段によって受付けられた前記データに基づいて特定される前記コンテンツを前記加入者情報データベースに前記購入済みであるコンテンツとして登録して前記加入者情報データベースを更新する更新手段を有する管理装置と、
を備えることを特徴とするコンテンツ提供システム。
【請求項５】
前記第二のインタフェース装置は、前記加入者が購入済みである前記コンテンツを他人に閲覧させるか否かを設定するデータをさらに取得し、
前記加入者データ登録手段は、前記第二のインタフェース装置から前記加入者が購入済みである前記コンテンツを他人に閲覧させるか否かを設定するデータを受付けて前記加入者情報データベースに登録し、
前記管理装置は、前記検索手段によって検索された前記電話番号データと対応付けられて前記加入者情報データベースに登録されている前記コンテンツを他人に閲覧させるか否かいずれに設定されているかを判定する閲覧可否判定手段を備えることを特徴とする請求項４記載のコンテンツ提供システム。
【請求項６】
前記加入者宛ての呼が発生した場合に、
電話をかけてきた相手の電話番号に基づいて前記加入者情報データベースから再生条件を検索する検索手段と、
前記検索手段によって検索される前記再生条件を満たすコンテンツを前記ソースデータベースから読み込む読込手段と、
前記読込手段によって読み込まれた前記コンテンツを音声チャネルに対して再生する再生手段と、
を有する再生装置を備えることを特徴とする請求項４または５記載のコンテンツ提供システム。
【請求項７】
前記再生装置は、
前記再生手段によって再生された前記コンテンツを電話をかけた相手に対する発呼に係る発信履歴情報を含む再生履歴情報と対応付けて所定の記憶部に記憶する記憶手段と、
前記所定の記憶部から前記発信履歴情報に基づいて前記再生されたコンテンツを特定するコンテンツ特定手段と、
を有することを特徴とする請求項３または６記載のコンテンツ提供システム。
【請求項８】
前記管理装置は、前記表示手段によって表示される前記コンテンツを購入するか否かを決定する際に前記コンテンツの少なくとも一部分を試聴させる試聴手段を備えることを特徴とする請求項１から７のいずれか１項に記載のコンテンツ提供システム。
【請求項９】
コンテンツ登録手段によって、電話をかけてきた相手にその電話に応答するまでの間に伝達されるコンテンツを受付けてデータベースに登録するステップと、
コンテンツ管理データ登録手段によって、前記コンテンツを分類するために用いられるコンテンツ管理データを受付けて前記データベースに登録するステップと、
加入者データ登録手段によって、加入者の電話番号および前記加入者が購入済みである前記コンテンツの情報を含む加入者データを受付けて前記加入者の電話番号と前記加入者が購入済みである前記コンテンツを対応付けて前記データベースに登録するステップと、
受付手段によって、電話番号データを受付けるステップと、
検索手段によって、前記受付けるステップにおいて前記受付手段で受付けられた前記電話番号データに基づいて前記データベースにその電話番号データが存在するか否かを検索するステップと、
表示手段によって、前記検索するステップにおいて前記検索手段で検索された前記電話番号データと対応付けられて前記データベースに登録されている前記コンテンツを表示するステップと、
購入希望コンテンツデータ受付手段によって、前記表示するステップにおいて表示手段で表示される前記コンテンツのうちからユーザが購入を希望する前記コンテンツがあるときに、その希望する前記コンテンツを特定するデータを受付けるステップと、
更新手段によって、前記受付けるステップにおいて前記購入希望コンテンツデータ受付手段で受付けられた前記データに基づいて特定される前記コンテンツを前記データベースに前記購入済みであるコンテンツとして登録して、前記データベースを更新するステップと、
を有することを特徴とするコンテンツ提供方法。
【請求項１０】
前記データベースに登録するステップにおいて、前記加入者データ登録手段によって、前記加入者が購入済みである前記コンテンツを他人に閲覧させるか否かを設定するデータを前記データベースに登録し、
閲覧可否判定手段によって、前記検索するステップにおいて前記検索手段で検索された前記電話番号データと対応付けられて前記データベースに登録されている前記コンテンツを他人に閲覧させるか否かいずれに設定されているかを判定するステップをさらに有することを特徴とする請求項９記載のコンテンツ提供方法。
【請求項１１】
前記加入者宛ての呼が発生した場合に、
検索手段によって、電話をかけてきた相手の電話番号に基づいて前記データベースから再生条件を検索するステップと、
読込手段によって、前記検索手段で検索される前記再生条件を満たすコンテンツを前記データベースから読み込むステップと、
再生手段によって、前記読込手段で読み込まれた前記コンテンツを音声チャネルに対して再生するステップと、
を有することを特徴とする請求項９または１０記載のコンテンツ提供方法。
【請求項１２】
記憶手段によって、前記再生手段で再生された前記コンテンツを電話をかけた相手に対する発呼に係る発信履歴情報を含む再生履歴情報と対応付けて所定の記憶部に記憶するステップと、
コンテンツ特定手段によって、前記所定の記憶部から前記発信履歴情報に基づいて前記再生されたコンテンツを特定するステップと、
を有することを特徴とする請求項１１記載のコンテンツ提供方法。
【請求項１３】
試聴手段によって、前記表示するステップにおいて前記表示手段で表示される前記コンテンツを前記ユーザが購入するか否かを決定するに際して、前記コンテンツの少なくとも一部分を前記ユーザに対して試聴させるステップを有することを特徴とする請求項９から１２のいずれか１項に記載のコンテンツ提供方法。
【請求項１４】
電話をかけてきた相手にその電話に応答するまでの間に伝達されるコンテンツ、前記コンテンツを分類するために用いられるコンテンツ管理データおよび加入者の電話番号と前記加入者が購入済みである前記コンテンツの情報を含む加入者データが登録されるデータベースと、
前記コンテンツを受付けて前記データベースに登録するコンテンツ登録手段と、
前記コンテンツ管理データを受付けて前記データベースに登録するコンテンツ管理データ登録手段と、
前記加入者データを受付けて前記加入者の電話番号と前記加入者が購入済みである前記コンテンツを対応付けて前記データベースに登録する加入者データ登録手段と、
電話番号データを受付ける受付手段と、
前記受付手段によって受付けられた前記電話番号データに基づいて前記データベースにその電話番号データが存在するか否かを検索する検索手段と、
前記検索手段によって検索された前記電話番号データと対応付けられて前記データベースに登録されている前記コンテンツを表示する表示手段と、
前記表示手段によって表示される前記コンテンツのうちから購入が希望されたものを特定するデータを受付ける購入希望コンテンツデータ受付手段と、
前記購入希望コンテンツデータ受付手段によって受付けられた前記データに基づいて特定される前記コンテンツを前記データベースに前記購入済みであるコンテンツとして登録して前記データベースを更新する更新手段と、
を備えることを特徴とするサーバ。
【請求項１５】
前記データベースには、前記加入者が購入済みである前記コンテンツを他人に閲覧させるか否かを設定するデータがさらに登録され、
前記加入者データ登録手段は、前記加入者が購入済みである前記コンテンツを他人に閲覧させるか否かを設定するデータを前記データベースに登録し、
前記検索手段によって検索された前記電話番号データと対応付けられて前記データベースに登録されている前記コンテンツを他人に閲覧させるか否かいずれに設定されているかを判定する閲覧可否判定手段を備えることを特徴とする請求項１４記載のサーバ。
【請求項１６】
前記加入者宛ての呼が発生した場合に、
電話をかけてきた相手の電話番号に基づいて前記データベースから再生条件を検索する検索手段と、
前記検索手段によって検索される前記再生条件を満たすコンテンツを前記データベースから読み込む読込手段と、
前記読込手段によって読み込まれた前記コンテンツを音声チャネルに対して再生する再生手段と、
を備えることを特徴とする請求項１４または１５記載のサーバ。
【請求項１７】
前記再生手段によって再生された前記コンテンツを電話をかけた相手に対する発呼に係る発信履歴情報を含む再生履歴情報と対応付けて所定の記憶部に記憶する記憶手段と、
前記所定の記憶部から前記発信履歴情報に基づいて前記再生されたコンテンツを特定するコンテンツ特定手段と、
を備えることを特徴とする請求項１６記載のサーバ。
【請求項１８】
前記表示手段によって表示される前記コンテンツを購入するか否かを決定する際に前記コンテンツの少なくとも一部分を試聴させる試聴手段を備えることを特徴とする請求項１４から１７のいずれか１項に記載のサーバ。
【請求項１９】
コンテンツ登録手段に、電話をかけてきた相手にその電話に応答するまでの間に伝達されるコンテンツを受付けてデータベースに登録するステップを、
コンテンツ管理データ登録手段に、前記コンテンツを分類するために用いられるコンテンツ管理データを受付けて前記データベースに登録するステップを、
加入者データ登録手段に、加入者の電話番号および前記加入者が購入済みである前記コンテンツの情報を含む加入者データを受付けて前記加入者の電話番号と前記加入者が購入済みである前記コンテンツを対応付けて前記データベースに登録するステップを、
受付手段に、電話番号データを受付けるステップを、
検索手段に、前記受付けるステップにおいて前記受付手段で受付けられた前記電話番号データに基づいて前記データベースにその電話番号データが存在するか否かを検索するステップを、
表示手段に、前記検索するステップにおいて前記検索手段で検索された前記電話番号データと対応付けられて前記データベースに登録されている前記コンテンツを表示するステップを、
購入希望コンテンツデータ受付手段に、前記表示するステップにおいて表示手段で表示される前記コンテンツのうちからユーザが購入を希望する前記コンテンツがあるときに、その希望する前記コンテンツを特定するデータを受付けるステップを、
更新手段に、前記受付けるステップにおいて前記購入希望コンテンツデータ受付手段で受付けられた前記データに基づいて特定される前記コンテンツを前記データベースに前記購入済みであるコンテンツとして登録して、前記データベースを更新するステップを実行させることを特徴とするプログラム。
【請求項２０】
前記データベースに登録するステップにおいて、前記加入者データ登録手段に、前記加入者が購入済みである前記コンテンツを他人に閲覧させるか否かを設定するデータを前記データベースに登録させ、
閲覧可否判定手段に、前記検索するステップにおいて前記検索手段で検索された前記電話番号データと対応付けられて前記データベースに登録されている前記コンテンツを他人に閲覧させるか否かいずれに設定されているかを判定するステップを実行させることを特徴とする請求項１９記載のプログラム。
【請求項２１】
前記加入者宛ての呼が発生した場合に、
検索手段に、電話をかけてきた相手の電話番号に基づいて前記データベースから再生条件を検索するステップを、
読込手段に、前記検索手段で検索される前記再生条件を満たすコンテンツを前記データベースから読み込むステップを、
再生手段に、前記読込手段で読み込まれた前記コンテンツを音声チャネルに対して再生するステップを実行させることを特徴とする請求項１９または２０記載のプログラム。
【請求項２２】
記憶手段に、前記再生手段で再生された前記コンテンツを電話をかけた相手に対する発呼に係る発信履歴情報を含む再生履歴情報と対応付けて所定の記憶部に記憶するステップを、
コンテンツ特定手段に、前記所定の記憶部から前記発信履歴情報に基づいて前記再生されたコンテンツを特定するステップを実行させることを特徴とする請求項２１記載のプログラム。
【請求項２３】
試聴手段に、前記表示するステップにおいて前記表示手段で表示される前記コンテンツを前記ユーザが購入するか否かを決定するに際して、前記コンテンツの少なくとも一部分を前記ユーザに対して試聴させるステップを実行させることを特徴とする請求項１９から２２のいずれか１項に記載のプログラム。
【発明の詳細な説明】
【技術分野】
【０００１】
本発明は、電話をかけてきた相手に伝達するコンテンツであって第三者が保有するものを、第三者の電話番号をキーとして検索することにより簡易に取得することができるコンテンツ提供システム、その方法、サーバおよびプログラムに関する。
【背景技術】
【０００２】
従来、自分がかけた電話に相手が出るまでの間、通常の呼び出し音であるＲｉｎｇ  Ｂａｃｋ  Ｔｏｎｅ（ＲＢＴ）の代わりに、その相手が予め指定しておいた音楽または音声等が聞こえるサービスがある。
【０００３】
ここで、ＲＢＴの代わりに、予め指定する音楽または音声等のコンテンツを選択する場合には、サービス事業者またはコンテンツプロバイダが曲一覧を提供し、その中からユーザが曲を選んで購入するという方法が用いられていた。例えば、２０曲等の限定された曲のうちから選択したり、または、ジャンル別等に分類された極めて多数の曲の中からユーザが自分の嗜好に適するものを選択したりしていた。
【０００４】
ここで、音コンテンツを閲覧させるＷｅｂサーバが表示画面に複数の音楽情報項目を表示し、携帯電話機側でＷｅｂサーバの表示画面に表示された音楽情報項目を選択し、その音楽情報項目の配信を要求することにより、ユーザの携帯電話による音コンテンツ要求のアクセスに対して要求された音コンテンツを迅速に提供することができる技術が提案されている（例えば、特許文献１参照）。
【特許文献１】特開２００２−８２６７５号公報
【発明の開示】
【発明が解決しようとする課題】
【０００５】
しかしながら、上述した従来例においては、ユーザが予め指定する音楽または音声等のコンテンツを選択する場合における曲等のコンテンツの表示手法として、新曲一覧または人気ランキング等の分類を工夫したとしても、新曲または人気曲等は通常、所定の期間が経過すると膨大な数の一般曲の一覧に移動するので、コンテンツの数が増大するにしたがって、ユーザの目に触れることのないコンテンツの割合は高くなり、また２０曲等の限定された曲のうちから選択するのではそもそもユーザの目に触れることのないコンテンツは多数存在することとなる。このためコンテンツ提供者およびユーザの両者にとって、豊富なコンテンツを購入機会へ十分に結び付けられないという問題点があった。
【０００６】
また、提供されるコンテンツの一覧以外にユーザがコンテンツに触れる機会として、実際に他のユーザに電話をかけたときに流れてくる曲（上記の、相手が予め指定しておいた音楽または音声）を聴く等の場合がある。ところが、他のユーザが指定しているコンテンツを気に入って購入を希望する場合であっても、曲を聴くのみでは曲名またはコンテンツ識別子等のコンテンツの属性情報を把握することは困難であることが多く、膨大な数のコンテンツの中から該当するコンテンツを探し出すことができないという問題点があった。ここで、その他のユーザに対して流れてきた曲の曲名等を質問することが考えられるが、複数に対して複数の曲を設定していたり、時間帯等によって流れる曲を異ならせる設定としている場合も多く、その他のユーザ自身が特定の曲を回答することは困難であった。
【０００７】
本発明は、上記の問題点に鑑みてなされたものであり、ユーザの電話番号をキーとしてユーザが保有するコンテンツが登録されているデータベースを検索して、該当するコンテンツを閲覧可能に表示することにより、ユーザが既に保有しているコンテンツを簡易に選択して取得することができるコンテンツ提供システム、その方法、サーバおよびプログラムを提供することを目的とする。
【課題を解決するための手段】
【０００８】
本発明によるコンテンツ提供システムは、コンテンツプロバイダが使用する情報処理装置からネットワークを介して電話をかけてきた相手にその電話に応答するまでの間に伝達されるコンテンツおよびコンテンツを分類するために用いられるコンテンツ管理データを取得する第一のインタフェース装置と、ユーザが使用する情報処理装置からネットワークを介して加入者の電話番号および加入者が購入済みであるコンテンツの情報を含む加入者データおよび電話番号データを取得する第二のインタフェース装置と、コンテンツ、コンテンツ管理データおよび加入者データが登録されるデータベースと、第一のインタフェース装置からコンテンツを受付けてデータベースに登録するコンテンツ登録手段と、第一のインタフェース装置からコンテンツ管理データを受付けてデータベースに登録するコンテンツ管理データ登録手段と、第二のインタフェース装置から加入者データを受付けて加入者の電話番号と加入者が購入済みであるコンテンツを対応付けてデータベースに登録する加入者データ登録手段と、電話番号データを取得するインタフェース装置から電話番号データを受付ける受付手段と、受付手段によって受付けられた電話番号データに基づいてデータベースにその電話番号データが存在するか否かを検索する検索手段と、検索手段によって検索された電話番号データと対応付けられてデータベースに登録されているコンテンツを表示する表示手段と、表示手段によって表示されるコンテンツのうちから購入が希望されたものを特定するデータを受付ける購入希望コンテンツデータ受付手段と、購入希望コンテンツデータ受付手段によって受付けられたデータに基づいて特定されるコンテンツをデータベースに購入済みであるコンテンツとして登録してデータベースを更新する更新手段を具備する管理装置とを備える。
【０００９】
また、本発明によるコンテンツ提供システムは、第二のインタフェース装置は、加入者が購入済みであるコンテンツを他人に閲覧させるか否かを設定するデータをさらに取得し、加入者データ登録手段は、第二のインタフェース装置から加入者が購入済みであるコンテンツを他人に閲覧させるか否かを設定するデータを受付けてデータベースに登録し、管理装置は、検索手段によって検索された電話番号データと対応付けられてデータベースに登録されているコンテンツを他人に閲覧させるか否かいずれに設定されているかを判定する閲覧可否判定手段を備える。
【００１０】
また、本発明によるコンテンツ提供システムは、加入者宛ての呼が発生した場合に、電話をかけてきた相手の電話番号に基づいてデータベースから再生条件を検索する検索手段と、検索手段によって検索される再生条件を満たすコンテンツをデータベースから読み込む読込手段と、読込手段によって読み込まれたコンテンツを音声チャネルに対して再生する再生手段とを有する再生装置を備える。
【００１１】
また、本発明によるコンテンツ提供システムは、上記のデータベースが、コンテンツが登録されるソースデータベースと、コンテンツ管理データが登録されるコンテンツ管理データベースと、加入者データが登録される加入者情報データベースとから構成されることであってもよい。
【００１２】
また、本発明によるコンテンツ提供システムは、再生装置が、再生手段によって再生されたコンテンツを電話をかけた相手に対する発呼に係る発信履歴情報を含む再生履歴情報と対応付けて所定の記憶部に記憶する記憶手段と、所定の記憶部から発信履歴情報に基づいて再生されたコンテンツを特定するコンテンツ特定手段とを有する。
【００１３】
また、本発明によるコンテンツ提供システムは、管理装置は、表示手段によって表示されるコンテンツを購入するか否かを決定する際にコンテンツの少なくとも一部分を試聴させる試聴手段を備える。
【００１４】
本発明によるコンテンツ提供方法は、コンテンツ登録手段によって、電話をかけてきた相手にその電話に応答するまでの間に伝達されるコンテンツを受付けてデータベースに登録するステップと、コンテンツ管理データ登録手段によって、コンテンツを分類するために用いられるコンテンツ管理データを受付けてデータベースに登録するステップと、加入者データ登録手段によって、加入者の電話番号および加入者が購入済みであるコンテンツの情報を含む加入者データを受付けて加入者の電話番号と加入者が購入済みであるコンテンツを対応付けてデータベースに登録するステップと、受付手段によって、電話番号データを受付けるステップと、検索手段によって、受付けるステップにおいて受付手段で受付けられた電話番号データに基づいてデータベースにその電話番号データが存在するか否かを検索するステップと、表示手段によって、検索するステップにおいて検索手段で検索された電話番号データと対応付けられてデータベースに登録されているコンテンツを表示するステップと、購入希望コンテンツデータ受付手段によって、表示するステップにおいて表示手段で表示されるコンテンツのうちからユーザが購入を希望するコンテンツがあるときに、その希望するコンテンツを特定するデータを受付けるステップと、更新手段によって、受付けるステップにおいて購入希望コンテンツデータ受付手段で受付けられたデータに基づいて特定されるコンテンツをデータベースに購入済みであるコンテンツとして登録して、データベースを更新するステップとを有する。
【００１５】
また、本発明によるコンテンツ提供方法は、データベースに登録するステップにおいて、加入者データ登録手段によって、加入者が購入済みであるコンテンツを他人に閲覧させるか否かを設定するデータをデータベースに登録し、閲覧可否判定手段によって、検索するステップにおいて検索手段で検索された電話番号データと対応付けられてデータベースに登録されているコンテンツを他人に閲覧させるか否かいずれに設定されているかを判定するステップをさらに有する。
【００１６】
また、本発明によるコンテンツ提供方法は、加入者宛ての呼が発生した場合に、検索手段によって、電話をかけてきた相手の電話番号に基づいてデータベースから再生条件を検索するステップと、読込手段によって、検索手段で検索される再生条件を満たすコンテンツをデータベースから読み込むステップと、再生手段によって、読込手段で読み込まれたコンテンツを音声チャネルに対して再生するステップとを有する。
【００１７】
また、本発明によるコンテンツ提供方法は、記憶手段によって、再生手段で再生されたコンテンツを電話をかけた相手に対する発呼に係る発信履歴情報を含む再生履歴情報と対応付けて所定の記憶部に記憶するステップと、コンテンツ特定手段によって、所定の記憶部から発信履歴情報に基づいて再生されたコンテンツを特定するステップとを有する。
【００１８】
また、本発明によるコンテンツ提供方法は、試聴手段によって、表示するステップにおいて表示手段で表示されるコンテンツをユーザが購入するか否かを決定するに際して、コンテンツの少なくとも一部分をユーザに対して試聴させるステップを有する。
【００１９】
本発明によるサーバは、電話をかけてきた相手にその電話に応答するまでの間に伝達されるコンテンツ、コンテンツを分類するために用いられるコンテンツ管理データおよび加入者の電話番号と加入者が購入済みであるコンテンツの情報を含む加入者データが登録されるデータベースと、コンテンツを受付けてデータベースに登録するコンテンツ登録手段と、コンテンツ管理データを受付けてデータベースに登録するコンテンツ管理データ登録手段と、加入者データを受付けて加入者の電話番号と加入者が購入済みであるコンテンツを対応付けてデータベースに登録する加入者データ登録手段と、電話番号データを受付ける受付手段と、受付手段によって受付けられた電話番号データに基づいてデータベースにその電話番号データが存在するか否かを検索する検索手段と、検索手段によって検索された電話番号データと対応付けられてデータベースに登録されているコンテンツを表示する表示手段と、表示手段によって表示されるコンテンツのうちから購入が希望されたものを特定するデータを受付ける購入希望コンテンツデータ受付手段と、購入希望コンテンツデータ受付手段によって受付けられたデータに基づいて特定されるコンテンツをデータベースに購入済みであるコンテンツとして登録してデータベースを更新する更新手段とを備える。
【００２０】
また、本発明によるサーバは、データベースには、加入者が購入済みであるコンテンツを他人に閲覧させるか否かを設定するデータがさらに登録され、加入者データ登録手段は、加入者が購入済みであるコンテンツを他人に閲覧させるか否かを設定するデータをデータベースに登録し、検索手段によって検索された電話番号データと対応付けられてデータベースに登録されているコンテンツを他人に閲覧させるか否かいずれに設定されているかを判定する閲覧可否判定手段を備える。
【００２１】
また、本発明によるサーバは、加入者宛ての呼が発生した場合に、電話をかけてきた相手の電話番号に基づいてデータベースから再生条件を検索する検索手段と、検索手段によって検索される再生条件を満たすコンテンツをデータベースから読み込む読込手段と、読込手段によって読み込まれたコンテンツを音声チャネルに対して再生する再生手段とを備える。
【００２２】
また、本発明によるサーバは、再生手段によって再生されたコンテンツを電話をかけた相手に対する発呼に係る発信履歴情報を含む再生履歴情報と対応付けて所定の記憶部に記憶する記憶手段と、所定の記憶部から発信履歴情報に基づいて再生されたコンテンツを特定するコンテンツ特定手段とを備える。
【００２３】
また、本発明によるサーバは、表示手段によって表示されるコンテンツを購入するか否かを決定する際にコンテンツの少なくとも一部分を試聴させる試聴手段を備える。
【００２４】
本発明によるプログラムは、コンテンツ登録手段に、電話をかけてきた相手にその電話に応答するまでの間に伝達されるコンテンツを受付けてデータベースに登録するステップを、コンテンツ管理データ登録手段に、コンテンツを分類するために用いられるコンテンツ管理データを受付けてデータベースに登録するステップを、加入者データ登録手段に、加入者の電話番号および加入者が購入済みであるコンテンツの情報を含む加入者データを受付けて加入者の電話番号と加入者が購入済みであるコンテンツを対応付けてデータベースに登録するステップを、受付手段に、電話番号データを受付けるステップを、検索手段に、受付けるステップにおいて受付手段で受付けられた電話番号データに基づいてデータベースにその電話番号データが存在するか否かを検索するステップを、表示手段に、検索するステップにおいて検索手段で検索された電話番号データと対応付けられてデータベースに登録されているコンテンツを表示するステップを、購入希望コンテンツデータ受付手段に、表示するステップにおいて表示手段で表示されるコンテンツのうちからユーザが購入を希望するコンテンツがあるときに、その希望するコンテンツを特定するデータを受付けるステップを、更新手段に、受付けるステップにおいて購入希望コンテンツデータ受付手段で受付けられたデータに基づいて特定されるコンテンツをデータベースに購入済みであるコンテンツとして登録して、データベースを更新するステップを実行させる。
【００２５】
また、本発明によるプログラムは、データベースに登録するステップにおいて、加入者データ登録手段に、加入者が購入済みであるコンテンツを他人に閲覧させるか否かを設定するデータをデータベースに登録させ、閲覧可否判定手段に、検索するステップにおいて検索手段で検索された電話番号データと対応付けられてデータベースに登録されているコンテンツを他人に閲覧させるか否かいずれに設定されているかを判定するステップを実行させる。
【００２６】
また、本発明によるプログラムは、加入者宛ての呼が発生した場合に、検索手段に、電話をかけてきた相手の電話番号に基づいてデータベースから再生条件を検索するステップを、読込手段に、検索手段で検索される再生条件を満たすコンテンツをデータベースから読み込むステップを、再生手段に、読込手段で読み込まれたコンテンツを音声チャネルに対して再生するステップを実行させる。
【００２７】
また、本発明によるプログラムは、記憶手段に、再生手段で再生されたコンテンツを電話をかけた相手に対する発呼に係る発信履歴情報を含む再生履歴情報と対応付けて所定の記憶部に記憶するステップを、コンテンツ特定手段に、所定の記憶部から発信履歴情報に基づいて再生されたコンテンツを特定するステップを実行させる。
【００２８】
また、本発明によるプログラムは、試聴手段に、表示するステップにおいて表示手段で表示されるコンテンツをユーザが購入するか否かを決定するに際して、コンテンツの少なくとも一部分をユーザに対して試聴させるステップを実行させる。
【発明の効果】
【００２９】
本発明によれば、ユーザの電話番号をキーとしてユーザが既に保有しているコンテンツを簡易に選択して取得することができ、コンテンツの購入機会の増大が図られる。
【発明を実施するための最良の形態】
【００３０】
以下、本発明の実施の形態について、図面を参照して説明する。なお、用語の意味の解釈に疑義をもたらさぬように、ここでは、コンテンツとは、電話をかけてきた相手にその電話に応答するまでの間に伝達されるソフトをさすものと定義する。例えば、音楽、音声等であり、文字、画像（静止画、動画）等のデータを含むこともある。
【００３１】
図１に示すように、本実施形態におけるコンテンツ提供システムは、コンテンツプロバイダインタフェース部１と、ユーザインタフェース部２と、コンテンツ管理部３と、加入者管理部４と、ソースデータベース５と、コンテンツ管理データベース６と、加入者情報データベース７と、再生部８から構成されている。
【００３２】
また、コンテンツプロバイダインタフェース部１は、インターネット等のネットワーク１０を介してコンテンツプロバイダ側の端末装置２０と接続されている。なお、ネットワーク１０は、任意のネットワークであってよく、例えば、インターネット、ＬＡＮ（Local Area Network）等を含む。
【００３３】
また、ユーザインタフェース部２は、インターネット等のネットワーク１０を介してユーザの情報処理装置２１と接続されており、モバイルデータ網１１を介してユーザの移動体端末２２と接続されており、モバイル網１２を介してユーザの電話機２３と接続されている。
【００３４】
コンテンツプロバイダインタフェース部１は、電話をかけてきた相手に伝達する音楽等のコンテンツを提供するコンテンツプロバイダ側の情報処理装置２０からコンテンツを受付ける機能を有している。また、コンテンツプロバイダ側の情報処理装置２０からコンテンツ管理データを受け取る機能を有している。例えば、Ｗｅｂサイトを提供するＷｅｂサーバにより実現されてもよい。このとき、そのＷｅｂサイトのＵＲＬ（Uniform Resource Locators）等は、コンテンツプロバイダ側の端末装置２０にのみ公開されることであってもよい。なお、端末装置２０は、例えば、パーソナルコンピュータ、携帯電話機、ＰＨＳ（簡易型携帯電話）および携帯情報端末を含み、その通信手段は、有線または無線のいずれであってもよく、例えば、無線ＬＡＮ通信、Bluetoothおよび赤外線通信等を含む。
【００３５】
ユーザインタフェース部２は、ユーザが端末装置２１、移動体端末２２または電話機２３を用いて提供する加入者データを受付ける機能およびユーザに対して購入可能なコンテンツを案内して購入を行わせる機能を有している。例えば、インターネット等のネットワーク１０を介して接続される情報処理装置２１との関係では、Ｗｅｂサーバにより実現されてもよく、また、モバイルデータ網１１を介して接続される移動体端末２２との関係では、ＷＡＰ（Wireless Application Protocol）サーバにより実現されてもよく、また、モバイル網１２を介して接続される電話機２３との関係では、ＩＶＲ（Interactive Voice Response:音声応答システム）により実現されてもよい。なお、端末装置２１は、例えば、パーソナルコンピュータ、携帯情報端末等を含み、移動体端末２２は、例えば、携帯電話機、ＰＨＳ等を含み、電話機２３は、例えば、携帯電話機、固定電話機等を含む。
【００３６】
コンテンツ管理部３は、コンテンツプロバイダインタフェース部１からコンテンツを受け取り、ソースデータベース５に対して、そのコンテンツに関するソースファイルの登録、更新、削除等を行う機能を有している。また、コンテンツプロバイダインタフェース部１からコンテンツ管理データを受け取り、コンテンツ管理データベース６に対して、そのコンテンツ管理データの登録、更新、削除等を行う機能を有している。例えば、ＣＰＵ、メモリ、データ受付インタフェース、入出力装置および外部記憶装置等を備える、サーバ等の周知の単一または複数のコンピュータシステム上に実現され、ＣＰＵがメモリに読み込まれた所定の命令を実行することにより処理ルーチンとして具体化される。なお、所定の命令は、外部記憶装置やネットワーク上等から読み込まれてもよい。
【００３７】
ここで、ソースデータベース５に格納されるソースファイルとは、例えば、「．ｖｏｘ」等の拡張子であるファイル形式の音源ファイル等そのものをいう。好適には、図２に示すように、ファイル識別子とファイル名が対応付けられて登録される。
【００３８】
コンテンツ管理データベース６に格納されるコンテンツ管理データとは、例えば、ジャンル、アーティスト等のカテゴリによって分類する等のコンテンツに関するソースファイルのまとめ方を規定するものをいう。図３に示すように、ソースデータベース５に格納されるソースファイルのファイル識別子が各ジャンルに対応付けられて登録されてもよい。
【００３９】
加入者管理部４は、ユーザインタフェース部２から加入者データを受け取り、加入者情報データベース７に対して、その加入者データの登録、更新、削除等を行う機能を有している。例えば、ＣＰＵ、メモリ、データ受付インタフェース、入出力装置および外部記憶装置等を備える、サーバ等の周知の単一または複数のコンピュータシステム上に実現され、ＣＰＵがメモリに読み込まれた所定の命令を実行することにより処理ルーチンとして具体化される。なお、所定の命令は、外部記憶装置やネットワーク上等から読み込まれてもよい。また、コンテンツ管理部３を実現するコンピュータシステムと同一のコンピュータシステムにより実現されることであってもよい。
【００４０】
ここで、加入者情報データベース７に格納される加入者データの一例を図４に示す。図４を参照すると、加入者データは、加入者属性７１、サービス状態７２、購入済コンテンツ情報７３、再生条件７４から構成されている。
【００４１】
加入者属性７１は、加入者自身の個人情報を設定する項目であり、必須の属性情報として電話番号があり、その他の任意の属性情報として、例えば、氏名、住所、ユーザアカウント、パスワード等が設定されてもよい。
【００４２】
サービス状態７２は、電話をかけてきた相手に対して購入済みのコンテンツを伝達するのか、または通常のＲＢＴを流すのかを設定する項目である。電話をかけてきた相手に対して購入済みのコンテンツを伝達する場合には、フラグとして「１」を付加し、通常のＲＢＴを流す場合には、ＮＵＬＬコードを格納することであってもよい。
【００４３】
購入済コンテンツ情報７３は、購入済コンテンツの内容等に関する詳細情報７３１と、コピー可否７３２から構成されている。詳細情報７２１は、例えば、コンテンツの曲名、歌手、作詞者、作曲者、著作権者、コンテンツプロバイダ、料金、購入日時、利用期限等を設定する項目である。コピー可否７３２は、自己の購入済コンテンツを他のユーザがコンテンツを購入する際に閲覧することを許すか否かを設定する項目であり、コピー否に設定されている場合には、そのコンテンツはＷｅｂサイトの画面等に表示されることはなく他のユーザの目に触れることはない。コピー可である場合には、フラグとして「１」を付加し、コピー不可である場合には、ＮＵＬＬコードを格納することであってもよい。
【００４４】
再生条件７４は、時間指定７４１と、発信者グループ７４２と、基本曲７４３から構成されている。時間指定７４１は、例えば、所定のコンテンツを電話をかけてきた相手に対して伝達する、年記念日、月記念日、曜日、時間帯等を設定する項目である。発信者グループ７４２は、例えば、家族、同僚、友達、恋人等の電話をかけてきた相手のグループに応じて伝達するコンテンツを設定する項目であり、友達には「おもしろボイス」、また恋人には「思い出ソング」を設定してもよい。基本コンテンツ７４３は、何も設定がなされていない場合に、デフォルトで電話をかけてきた相手に対して伝達するコンテンツを設定する項目である。なお、電話をかけてきた相手の電話番号によりその電話をかけてきた相手の特定がなされる。
【００４５】
再生部８は、加入者宛ての呼が発生した場合に、その加入者の電話番号をキーとして加入者情報データベース７を検索し、発呼者の電話番号等に基づいて再生条件７４を参照して該当するコンテンツのソースファイルをソースデータベース５から読み込み音声チャネルに対して再生する機能を有している。例えば、Ｉｎｔｅｌｌｉｇｅｎｔ  Ｐｅｒｉｐｈｅｒａｌによって実現されてもよい。なお、検索されるデータベースは、再生部８自身に設けられたソースデータベース５のコピーおよび加入者情報データベース７のコピーのデータベースであってもよい。これにより、マスタデータベースを管理するサーバ等の障害の発生による影響を最小限のものとすることが可能となる。
【００４６】
さらに、ソースデータベース５、コンテンツ管理データベース６および加入者情報データベース７は、メモリや外部記憶装置等が用いられ具体化される。
【００４７】
以上のように構成された本実施形態におけるコンテンツ提供システムの動作の詳細について、図５〜図１４に基づいて説明する。なお、図５は、コンテンツのソースデータベース５への登録処理のフローチャートであり、図６は、コンテンツ管理データのコンテンツ管理データベース６への登録処理のフローチャートであり、図７は、加入者データの加入者情報データベース７への登録処理のフローチャートであり、図８は、ユーザが用いる端末装置２１、移動体端末２２または電話機２３によるコンテンツの購入処理のフローチャートである。以下、フローチャートの各ステップについて「Ｓ」と略記する。
【００４８】
まず、コンテンツプロバイダ側の情報処理装置２０から受付けたコンテンツのソースデータベース５への登録処理について、図５を参照して説明する。
【００４９】
電話をかけてきた相手に伝達する音楽等のコンテンツがコンテンツプロバイダ側の情報処理装置２０によって、インターネット等のネットワーク１０を介してコンテンツプロバイダインタフェース部１に対して提供され（Ｓ５０１）、そのコンテンツは、コンテンツプロバイダインタフェース部１によって受付けられる（Ｓ５０２）。
【００５０】
そして、コンテンツプロバイダインタフェース部１によって受付けられたコンテンツは、コンテンツ管理部３によってコンテンツプロバイダインタフェース部１から受け取られ（Ｓ５０３）、コンテンツ管理部３によってソースデータベース５に登録される（Ｓ５０４）。ここで、コンテンツはそのコンテンツに関するソースファイル形式でソースデータベース５に登録される。
【００５１】
なお、上記のステップ５０１〜５０４と同様のフローで、ソースデータベース５に登録されているコンテンツの更新、削除等が行われる。
【００５２】
次に、コンテンツプロバイダ側の情報処理装置２０から受付けたコンテンツ管理データのコンテンツ管理データベース６への登録処理について、図６を参照して説明する。
【００５３】
ソースデータベース５に登録されるコンテンツに関するソースファイルのまとめ方を規定するコンテンツ管理データがコンテンツプロバイダ側の情報処理装置２０によって、インターネット等のネットワーク１０を介してコンテンツプロバイダインタフェース部１に対して提供され（Ｓ６０１）、そのコンテンツ管理データは、コンテンツプロバイダインタフェース部１によって受付けられる（Ｓ６０２）。
【００５４】
そして、コンテンツプロバイダインタフェース部１によって受付けられたコンテンツ管理データは、コンテンツ管理部３によってコンテンツプロバイダインタフェース部１から受け取られ（Ｓ６０３）、コンテンツ管理部３によってコンテンツ管理データベース６に登録される（Ｓ６０４）。
【００５５】
なお、上記のステップ６０１〜６０４と同様のフローで、コンテンツ管理データベース６に登録されているコンテンツ管理データの更新、削除等が行われる。
【００５６】
次に、ユーザが利用する端末装置２１、移動体端末２２または電話機２３から受付けた加入者データの加入者情報データベース７への登録処理について、図７を参照して説明する。
【００５７】
加入者データがユーザが利用する端末装置２１、移動体端末２２または電話機２３によって、端末装置２１の場合には、インターネット等のネットワーク１０を介して、移動体端末２２の場合には、モバイルデータ網１１を介して、また電話機２３の場合には、モバイル網１２を介してユーザインタフェース部２に対して提供され（Ｓ７０１）、その加入者データは、ユーザインタフェース部２によって受付けられる（Ｓ７０２）。
【００５８】
ここで、ユーザインタフェース部２によって、例えば、図９に示すような画面がユーザが利用する端末装置２１、移動体端末２２の表示部に表示されてもよい。図９を参照すると、加入者属性７１として、電話番号、氏名、ユーザアカウント、パスワードに関するデータが該当する欄に入力される。ＯＮ／ＯＦＦボタンの切り替えによりサービス状態７２として、電話をかけてきた相手に対して購入済みのコンテンツを伝達するのか、または通常のＲＢＴを流すのかが指定される。なお、サービス状態７２に設定されたフラグ等のデータに基づいて、ホームロケーションレジスタ（ＨＬＲ）内の利用者毎に設けられるサービスフラグが、例えば、そのサービスフラグがＯＮのときは再生部８を起動し、一方、ＯＦＦのときは再生部８を起動せずに交換機によってＲＢＴが流されるように切り替えられて設定される。再生条件７４として、時間指定７４１、発信者グループ７４２、基本曲７４３に関するデータが該当する欄に入力される。購入済コンテンツの内容等に関する詳細情報７３１が購入済コンテンツの一覧として表示され、コピー可否のチェックボックスをチェックすることによって購入済コンテンツ情報７３のうちのコピー可否７３２が指定され、自己の購入済コンテンツが他のユーザがコンテンツを購入する際に閲覧されることを許すか否かが決定される。また、ＩＶＲを利用する電話機２３の場合には、図９に示すのと同様の内容が音声によって案内され、それに対してダイヤル操作によって各データが提供され、または発話による応答を音声認識機能で処理することによって各データが提供されることであってもよい。
【００５９】
そして、ユーザインタフェース部２によって受付けられた加入者データは、加入者管理部４によってユーザインタフェース部２から受け取られ（Ｓ７０３）、加入者管理部４によって加入者情報データベース７に登録される（Ｓ７０４）。
【００６０】
なお、上記のステップ７０１〜７０４と同様のフローで、加入者情報データベース７に登録されている加入者データの更新、削除等が行われる。
【００６１】
上記の図５〜図７に示すフローによって、コンテンツがソースデータベース５に登録され、コンテンツ管理データがコンテンツ管理データベース６へ登録され、さらに加入者データが加入者情報データベース７へ登録されたので、次にユーザが端末装置２１等を利用してコンテンツを購入する処理について、図８を参照して説明する。
【００６２】
なお、ここでは、ユーザがコンテンツの購入を希望するのは、過去にそのコンテンツを他人に電話をかけた際に伝達されて、見たり聞いたりした体験があり、その際にそのコンテンツを気に入ったので自分も使用したいと考えている場合等を想定するが、その場合に限らず、電話をかけたことがない他人の購入済みのコンテンツを知りたいと考える場合にも適応可能である。
【００６３】
ユーザは、情報処理装置２１または移動体端末２２を利用して、コンテンツ購入画面を表示させるために、例えば、そのＷｅｂサイトのＵＲＬを指定する（Ｓ８０１）。ユーザがそのＷｅｂサイトのＵＲＬを知らない場合には、そのＵＲＬに対するハイパーリンクをもつ文字列、バナー画像等のオブジェクトから指定されることであってもよい。
【００６４】
ユーザインタフェース部２によって、指定されたＵＲＬ等に基づいて提供される、例えば、図１０に示すようなコンテンツ購入画面が、ユーザが利用する端末装置２１または移動体端末２２の表示部に表示される（Ｓ８０２）。図１１を参照すると、購入方法として「他人からコピー」、「一覧から」および「ギフト」が存在する。ユーザは、これらの購入方法から希望するもののラジオ・ボタンを選択する（Ｓ８０３）。そして、「決定」ボタンが押下げられる（Ｓ８０４）と選択された購入方法に応じた次画面が展開される。
【００６５】
ここで、ユーザとは、加入者データが加入者情報データベース７へ予め登録されているユーザを意味する。
【００６６】
なお、ＩＶＲを利用する電話機２３をユーザが利用する場合には、ユーザインタフェース部２によって図１０に示すのと同様の購入方法が音声で案内され、それに対して応答することによって購入方法が選択されることであってもよい。
【００６７】
購入方法として「他人からコピー」が選択された場合には、上記のステップ８０３で「決定」ボタンが押下げられると、ユーザインタフェース部２によって提供される、例えば、図１１に示すようなその他人の電話番号の入力を要求する画面が表示される（Ｓ８０５）。
【００６８】
ユーザが図１１に示すような画面から他人の電話番号を入力すると、ユーザインタフェース部２からその入力された電話番号が渡されるとともに加入者管理部４に対してコピー要求が行われる（Ｓ８０６）。ここで、他人の電話番号の入力は、再生部８によって記録されている、ユーザが利用する端末装置２１または移動体端末２２からのその他人の電話機への発信履歴データを用いて、端末装置２１または移動体端末２２の画面にその発信履歴を表示させて、それを選択等することにより直接に入力されることであってもよい。
【００６９】
また、上記のステップＳ８０６において、他人の電話番号が入力され、コピー要求が行われる際に、例えば、図１２に示すような画面から、ユーザが、電話をかけた相手に対する直近の発呼の際に用いられたコンテンツのみを表示するか、または購入可能なコンテンツの一覧を表示するかを選択することができてもよい。直近の発呼の際に用いられたコンテンツのみの表示を選択した場合には、他人の電話機への発信に際して再生された特定のコンテンツのみが画面に表示され、ユーザは購入する特定のコンテンツを簡易に指定することが可能となり、複数のコンテンツから選択する行為を省略することができる。
【００７０】
電話をかけた相手に対する直近の発呼の際に用いられたコンテンツの特定は、例えば、直近に電話をかけた際に聴いた曲を購入したいと思った場合、その電話をかけた相手の電話番号を入力すると、再生部８の記憶装置に再生履歴と関連させて登録されている、その電話をかけた相手に対する直近の発呼の際に用いられた曲を特定することができる情報である、例えば、ソースデータベース５に登録されているファイル識別子、ファイル名等によりその曲を特定することができることであってもよい。ここで、再生部８は、呼接続時に加入者情報データベース７を検索して、再生するコンテンツの識別子を取得するが、このときの呼の発生時刻（年月日時分秒）、発信者電話番号、受信者電話番号、再生結果（成否）、再生したコンテンツ識別子等をログ情報としてファイルに書き出し、記憶装置に保存する。そして、加入者から電話をかけた相手の電話番号が入力され、コピー要求が発生した場合、その電話をかけた相手の電話番号に基づいて、その電話番号が発信者として記録されているデータが存在するか否か（存在する場合は最も新しいもの）を検索する処理を再生部８が実行し、得られたコンテンツ識別子からコンテンツを取得して端末装置２１または移動体端末２２の画面上に表示する。また、ログファイルを短い周期で定期的にバックエンドに集めて、上記の検索処理をバックエンドサーバが実行してもよい。ここで、バックエンドサーバとは、ユーザが端末装置２１、移動体端末２２または電話機２３を用いて送信する要求を、ユーザインタフェース部２を実現するＷｅｂサーバ、ＷＡＰサーバまたはＩＶＲを経由して受付けて処理する機能、再生部８による呼処理以降の処理を実行する機能を有するサーバをいい、例えば、コンテンツ管理部３または加入者管理部４を実現するサーバが該当する。なお、一般に曲を聴いたそのとき、または直後に購入を望む場合が多いと考えられるため、直近の発呼の際に用いられた曲を特定することができる情報は、数時間、数日等の比較的短い一定の期間だけ再生部８の記憶装置に登録されていてもよい。
【００７１】
加入者管理部４は、ユーザインタフェース部２から入力された電話番号を受け取り、コピー要求を受付ける（Ｓ８０７）。そして、加入者管理部４によって、入力された電話番号の正当性がチェックされる（Ｓ８０８）。正当性のチェックとしては、入力された電話番号の桁数が所定の桁数の範囲であるか否かが判定されたり、また、入力された電話番号の上位数桁の番号から事業者を特定したり、また、入力された電話番号に基づいて加入者情報データベース７にその電話番号が存在するか否かの検索がなされてもよい。
【００７２】
正当性のチェックを通過しない場合には、所定のエラーメッセージが画面に表示されて再度の入力を要求することであってもよい（Ｓ８０９）。
【００７３】
一方、正当性のチェックを通過した場合には、加入者管理部４は、入力された電話番号と一致する加入者情報データベース７に登録されている電話番号と対応付けられて登録されている、加入者データの購入済コンテンツ情報７３のうちのコピー可否７３２がコピー否に設定されているか否かを判定する（Ｓ８１０）。例えば、コピー可の場合にたてられているフラグの有無をチェックすることにより判定されてもよい。コピー否に設定されている場合には、その旨が加入者管理部４によってユーザインタフェース部２に送信される（Ｓ８１１）。ユーザインタフェース部２によって、例えば、図１２に示すような表示がなされ、入力された電話番号の加入者は自己のコンテンツを他人に閲覧させてコピーさせる意思がないことが告知される（Ｓ８１２）。したがって、そのコンテンツはユーザインタフェース部２に送信されて画面に表示されることはなく他のユーザの目に触れることはない。これにより、自己の購入済コンテンツに他人に知られたくないコンテンツが含まれている場合であっても他のユーザに閲覧されることを回避することができる。
【００７４】
一方、コピー可に設定されている場合には、そのコンテンツは加入者管理部４によってユーザインタフェース部２に送信される（Ｓ８１３）。ユーザインタフェース部２によって、加入者管理部４から受信したそのコンテンツは、例えば、図１３に示すような表示がなされ、購入可能なコンテンツの一覧が閲覧可能に画面に表示される（Ｓ８１４）。なお、再生部８によって記録されている、ユーザが利用する端末装置２１または移動体端末２２からのその他人の電話機への発信履歴データを用いて、電話をかけた相手に対する直近の発呼の際に用いられたコンテンツが、例えば、図１３に示すような「※」等のマークが付されてそれ以外のコンテンツと区別することができるように表示されてもよい。
【００７５】
なお、上記の説明では、加入者データの購入済コンテンツ情報７３のうちのコピー可否７３２がコピー否に設定されている場合には、その加入者のすべての購入済コンテンツがユーザインタフェース部２に送信されず画面に表示されない例について述べたが、コピー可否７３２は、加入者が複数のコンテンツを購入済みの場合には、個々のコンテンツ毎に設定することが可能であってもよい。そのように個々に設定されているときは、加入者管理部４は、入力された電話番号と一致する加入者情報データベース７に登録されている電話番号と対応付けられて登録されている、加入者データの購入済コンテンツ情報７３のうちのコピー可否７３２がコピー否に設定されているか否かをコンテンツ毎に判定し、コピー可に設定されているコンテンツのみユーザインタフェース部２に送信して画面に表示し、コピー否に設定されているコンテンツはユーザインタフェース部２に送信しなく画面に表示しない。これにより、すべてのコンテンツについて一律に他人に閲覧させるために表示するかしないかでなく、コンテンツ毎に細かく設定することができ、ユーザの利便性を向上させることができる。
【００７６】
ユーザが図１３に示すような画面の表示を閲覧して、そのコンテンツの購入を希望する場合には、購入を希望するコンテンツのチェックボックスを選択して、図１３に示す画面の表示中の購入ボタンを押し下げする（Ｓ８１５）。
【００７７】
なお、上記のステップＳ８１５において、購入を希望するコンテンツを選択する際に、試しに再生を希望するコンテンツのチェックボックスを選択して、図１３に示す画面の表示中のお試し再生ボタンを押し下げすることにより、ユーザは、コンテンツの一部分または全部を試しに再生することができることであってもよい。これにより、ユーザは表示されたコンテンツの題名等の属性のみでなく、実際の内容に直接触れることが可能となり、自己の嗜好に合った適切なコンテンツの選択を行うことができる。
【００７８】
上記のステップＳ８１５でユーザが購入ボタンを押し下げすると、ユーザインタフェース部２から加入者管理部４に購入するコンテンツに関するそのコンテンツを特定するためのデータが送信され（Ｓ８１６）、加入者管理部４によって、ユーザインタフェース部２から受信したユーザが購入するコンテンツに関するそのコンテンツを特定するためのデータに基づいて加入者情報データベース７に登録されている購入済コンテンツ情報７３のうち購入済コンテンツの内容等に関する詳細情報７３１に新たに購入したコンテンツがそのユーザに結び付けられて追加され、詳細情報７３１が更新される（Ｓ８１７）。
【００７９】
上記のステップＳ８１７において、加入者情報データベース７に登録されている購入済コンテンツ情報７３のうち購入済コンテンツの内容等に関する詳細情報７３１に新たに購入したコンテンツがそのユーザに結び付けられて追加され、詳細情報７３１が更新された場合には、コンテンツの購入が完了したことをユーザに対して告知すべく、例えば、図１４に示すようなその旨のメッセージが画面に表示される（Ｓ８１８）。
【００８０】
そして、ユーザは、加入者情報データベース７に登録された購入済コンテンツ情報７３に基づいて、加入者データについてのサービス状態７２、購入済コンテンツ情報７３、再生条件７４を設定することができる。
【００８１】
サービス状態７２については、電話をかけてきた相手に対して購入済みのコンテンツを伝達するのか、または通常のＲＢＴを流すのかを設定し、また、購入済コンテンツ情報７３のコピー可否７３２については、自己の購入済コンテンツを他のユーザがコンテンツを購入する際に閲覧することを許すか否かを設定し、さらに、再生条件７４のうち時間指定７４１については、年記念日、月記念日、曜日、時間帯等に応じて、電話をかけてきた相手の電話番号により特定されるその電話をかけてきた相手に対して伝達するコンテンツを異ならせるための設定を行い、設定発信者グループ７４２については、家族、同僚、友達、恋人等の電話をかけてきた相手のグループに応じて伝達するコンテンツを異ならせるための設定を行い、設定基本曲７４３については、デフォルトで電話をかけてきた相手に対して伝達するコンテンツを設定する。
【００８２】
上記のフローにしたがって、各ステップにおける処理が実行されて、加入者情報データベース７に加入者データが登録された状態で、加入者宛ての呼が発生した場合には、交換網によって、その加入者の電話番号をキーとしてホームロケーションレジスタを検索し、サービス状態７２に基づき設けられるサービスフラグがＯＮのときは、再生部８を起動し、再生部８によって、発呼者の電話番号、呼が発生した日時等に基づいて加入者情報データベース７を検索し、再生条件７４を参照して該当するコンテンツのソースファイルをソースデータベース５から読み込み、音声チャネルに対して再生する。なお、検索されるデータベースは、再生部８自身に設けられるソースデータベース５のコピーおよび加入者情報データベース７のコピーのデータベースであってもよい。
【００８３】
一方、交換網によって、その加入者の電話番号をキーとしてホームロケーションレジスタを検索し、サービス状態７２に基づき設けられるサービスフラグがＯＦＦのときは、再生部８を起動せずに通常のＲＢＴを流す処理については交換機が実行する。
【００８４】
また、図１０に示すようなコンテンツ購入画面で購入方法として「一覧から」が選択された場合には、上記のステップ８０３で「決定」ボタンが押下げられると、ユーザインタフェース部２によって提供される、コンテンツの一覧が表示される。コンテンツは、例えば、ジャンル等に基づいて分類されて階層型で表示されてもよい。
【００８５】
また、図１０に示すようなコンテンツ購入画面で購入方法として「ギフト」が選択された場合には、上記の処理フローにより購入されたコンテンツが、第三者に対してプレゼントされる処理が行われてもよい。
【００８６】
なお、上記の実施の形態および各実施例は、本発明の好適な実施の形態であり、本発明の要旨を逸脱しない範囲内において種々変更実施が可能である。例えば、コンテンツを購入するユーザとして、加入者データが加入者情報データベース７へ登録されていないものを含むことであってもよく、上記のステップＳ８１７において、加入者管理部４によって、加入者データが加入者情報データベース７へ登録されているユーザであるか否かが判断され、登録されていないユーザである場合には、ユーザインタフェース部２に対してそのユーザの加入者データを送信することを要求し、ユーザにユーザインタフェース部２に加入者データを入力させ、加入者管理部４によって、そのデータに基づいて加入者情報データベース７に加入者データが新規に登録されることであってもよい。
【００８７】
また、すべての呼が発生した場合に再生部８を起動し、再生部８によって、加入者データが加入者情報データベース７へ登録されているか否か、およびサービス状態７２が通常のＲＢＴを流す設定であるか否かを判断し、未加入者およびＲＢＴ再生希望者については通常のＲＢＴを流す処理を再生部８が実行することであってもよい。
【００８８】
また、上記の実施の形態では、データベースが、ソースデータベース５、コンテンツ管理データベース６、加入者情報データベース７の三つに分けられているシステム構成について説明したが、これに限らず、例えば、三つデータベースを一つのデータベースにまとめる、あるいはソースデータとそれ以外の二つのデータを別々のデータベースに登録する等の種々の変形が可能である。
【００８９】
また、上記の実施の形態では、コンテンツプロバイダインタフェース部１、ユーザインタフェース部２、コンテンツ管理部３、加入者管理部４および再生部８がそれぞれ別個の装置として接続されているシステム構成について説明したが、これらの複数の機能が１つのコンピュータシステムとして実現されている構成やさらに分割された機能毎に複数のサーバ装置等が追加された構成にも適用可能であることはもちろんである。
【図面の簡単な説明】
【００９０】
【図１】本発明の実施形態におけるシステムの構成を示す図である。
【図２】ソースデータベースに格納されるデータの構造を示す図である。
【図３】コンテンツ管理データベースに格納されるデータの構造を示す図である。
【図４】加入者情報データベースに格納されるデータの構造を示す図である。
【図５】コンテンツのソースデータベースへの登録処理の動作を示すフローチャートである。
【図６】コンテンツ管理データのコンテンツ管理データベースへの登録処理の動作を示すフローチャートである。
【図７】加入者データの加入者情報データベースへの登録処理の動作を示すフローチャートである。
【図８】ユーザが用いる端末装置等によるコンテンツの購入処理の動作を示すフローチャートである。
【図９】加入者データを登録する画面の表示の一例を示す図である。
【図１０】コンテンツを購入する際の購入方法を選択する画面の表示の一例を示す図である。
【図１１】コンテンツを購入する場合の他人の電話番号の入力を要求する画面の表示の一例を示す図である。
【図１２】購入可能なコンテンツの表示方法の指定を要求する画面の表示の一例を示す図である。
【図１３】入力された電話番号に関する加入者データの購入済コンテンツ情報のうちのコピー可否がコピー否に設定されている場合に画面に表示されるメッセージの一例を示す図である。
【図１４】購入可能なコンテンツの一覧を表示する画面の一例を示す図である。
【図１５】コンテンツの購入が完了した場合に画面に表示されるメッセージの一例を示す図である。
【符号の説明】
【００９１】
１    コンテンツプロバイダインタフェース部
２    ユーザインタフェース部
３    コンテンツ管理部
４    加入者管理部
５    ソースデータベース
６    コンテンツ管理データベース
７    加入者情報データベース
８    再生部
１０    ネットワーク
１１    モバイルデータ網
１２    モバイル網
２０    端末装置
２１    情報処理装置
２２    移動体端末
２３    電話機
【図１】
2005354180.tif 000003
【図２】
2005354180.tif 000004
【図３】
2005354180.tif 000005
【図４】
2005354180.tif 000006
【図５】
2005354180.tif 000007
【図６】
2005354180.tif 000008
【図７】
2005354180.tif 000009
【図８】
2005354180.tif 000010
【図９】
2005354180.tif 000011
【図１０】
2005354180.tif 000012
【図１１】
2005354180.tif 000013
【図１２】
2005354180.tif 000014
【図１３】
2005354180.tif 000015
【図１４】
2005354180.tif 000016
【図１５】
2005354180.tif 000017